(57)【要約】      （修正有）【課題】従来の雑誌や新聞のように情報をパッケージとして配信することができる情報配信装置を提供する。【解決手段】情報配信装置は、購読者端末４に情報を配信する情報配信装置であって、ネットワーク５を介して購読者端末４と通信する通信部と、配信する情報を記憶する記憶部と、通信部及び記憶部を制御する制御部とを備え、記憶部は、配信する期間が規定された配信号と配信する情報を含んだ記事とを対応付けて記憶し、制御部は、記憶部から現在時刻に応じた配信号と当該配信号に対応付けられた記事とを読み出し、通信部を介して購読者端末４に配信する制御を行う。【選択図】図１
0003195804.tif 000002
【実用新案登録請求の範囲】
【請求項１】
購読者端末に情報を配信する情報配信装置であって、
ネットワークを介して前記購読者端末と通信する通信部と、
配信する情報を記憶する記憶部と、
前記通信部及び前記記憶部を制御する制御部と
を備え、
前記記憶部は、配信する期間が規定された配信号と配信する情報を含んだ記事とを対応付けて記憶し、
前記制御部は、前記記憶部から現在時刻に応じた配信号と当該配信号に対応付けられた記事とを読み出し、前記通信部を介して前記購読者端末に配信する制御を行うことを特徴とする情報配信装置。
【請求項２】
前記通信部は前記ネットワークを介して寄稿者端末と通信し、
前記制御部は、前記記憶部に格納する配信号及び記事を編集するための編集画面を前記寄稿者端末に表示させ、前記編集画面に対する操作に応じて編集された配信号及び記事を前記記憶部に記憶させることを特徴とする請求項１に記載の情報配信装置。
【請求項３】
前記記事は、１または複数のコンテンツアイテムにより構成され、
各コンテンツアイテムは、前記記憶部において、それぞれのコンテンツアイテムが構成する記事に対応付けて記憶され、
前記制御部は、前記寄稿者端末に表示させる編集画面において、記事を構成する１または複数のコンテンツアイテムの編集インタフェースを並べて表示させるとともに、コンテンツアイテムの編集インタフェースの並び順をドラッグ・アンド・ドロップ操作により変更可能とし、
前記制御部は、前記記憶部から１または複数のコンテンツアイテムを読み出し、前記編集画面におけるコンテンツアイテムの編集インタフェースの並び順と同じ順に並べて記事を構成し、前記通信部を介して前記購読者端末に配信する制御を行うことを特徴とする請求項２に記載の情報配信装置。
【考案の詳細な説明】
【技術分野】
【０００１】
本考案は、インターネット等のネットワークを介して情報を配信するための情報配信装置に関する。
【背景技術】
【０００２】
近年、インターネット等のネットワークの発達により、情報の提供者がサーバ装置等の情報配信装置を利用してネットワークを介して各種の情報を配信し、需要者が携帯電話、スマートフォン、パーソナルコンピュータ等の各種端末で情報を受信して閲覧・購読する、情報配信システムが実現されている。
【０００３】
例えば特許文献１には、賃貸物件の概要及び商品紹介、生活情報をデータベース化したものを、インターネット上で表示できる形態にし、新着情報が常に、手元の携帯電話で確認できる構成としたシステムが開示されている。
【先行技術文献】
【特許文献】
【０００４】
【特許文献１】特開２００６−１５５００３号公報
【考案の概要】
【考案が解決しようとする課題】
【０００５】
従来の紙媒体で提供されている雑誌や新聞では一回の発行物の中に多数の記事が含まれており、定期的に（例えば日刊、週刊等）に発行物を入手することで、最新の情報をひとまとまりのパッケージとして配信することができる。これに対し、インターネット等のネットワークを介しした情報配信では、個別の記事の最新版を個別に配信することはできるものの、従来の雑誌や新聞のように情報をパッケージとして配信することはできなかった。
【０００６】
本考案は、上記課題の解決のためになされたものであり、従来の雑誌や新聞のように情報をパッケージとして配信することができる情報配信装置を提供することを目的とする。
【課題を解決するための手段】
【０００７】
上記の課題を解決すべく、本考案に係る情報配信装置は、購読者端末に情報を配信する情報配信装置であって、ネットワークを介して購読者端末と通信する通信部と、配信する情報を記憶する記憶部と、通信部及び記憶部を制御する制御部とを備え、記憶部は、配信する期間が規定された配信号と配信する情報を含んだ記事とを対応付けて記憶し、制御部は、記憶部から現在時刻に応じた配信号と当該配信号に対応付けられた記事とを読み出し、通信部を介して購読者端末に配信する制御を行うことを特徴とする。このような構成により、配信号にて取りまとめた複数の記事をパッケージとして配信することができる。
【０００８】
本考案では、通信部は、ネットワークを介して寄稿者端末と通信し、制御部は、記憶部に格納する配信号及び記事を編集するための編集画面を寄稿者端末に表示させ、編集画面に対する操作に応じて編集された配信号及び記事を記憶部に記憶させるとよい。このとき、記事は、１または複数のコンテンツアイテムにより構成され、各コンテンツアイテムは、記憶部において、それぞれのコンテンツアイテムが構成する記事に対応付けて記憶され、制御部は、寄稿者端末に表示させる編集画面において、記事を構成する１または複数のコンテンツアイテムの編集インタフェースを並べて表示させるとともに、コンテンツアイテムの編集インタフェースの並び順をドラッグ・アンド・ドロップ操作により変更可能とし、制御部は、記憶部から１または複数のコンテンツアイテムを読み出し、編集画面におけるコンテンツアイテムの編集インタフェースの並び順と同じ順に並べて記事を構成し、通信部を介して購読者端末に配信する制御を行うとよい。このような構成により、記事の編集やレイアウトを容易に行うことが可能となる。
【図面の簡単な説明】
【０００９】
【図１】地域情報配信システムの構成を示す模式図である。
【図２】地域情報配信システムが備えるサーバの機能ブロックである。
【図３】地域情報配信システムが備える投稿者端末の機能ブロック図である。
【図４】地域情報配信システムが備える購読者端末の機能ブロック図である。
【図５】寄稿者端末に表示されるログイン画面の一例である。
【図６】寄稿者端末に表示されるダッシュボード画面の一例である。
【図７】寄稿者端末に表示されるメディア管理画面の一例である。
【図８】寄稿者端末に表示される画像アップローダウィンドウの一例である。
【図９】寄稿者端末に表示される週号管理画面の一例である。
【図１０】寄稿者端末に表示される週号管理画面の一例である。
【図１１】寄稿者端末に表示される記事管理画面の一例である。
【図１２】寄稿者端末に表示される記事管理画面の一例である。
【図１３】図１３（ａ）及び（ｂ）は、寄稿者端末に表示される編集ダイアログの一例である。
【図１４】図１４（ａ）〜（ｄ）は、購読者端末に表示されるアプリ画面の一例である。
【考案を実施するための形態】
【００１０】
以下、本考案の情報配信装置が適用された実施の形態に係る地域情報配信システム１を、図面を参照して説明する。
［地域情報配信システムの構成］
【００１１】
図１に示すように、地域情報配信システム１は、地域内のお店や会社の広告（チラシ）、地域内の耳寄りな情報、観光情報、市政情報、イベント情報、災害情報、その他の地域行政情報など、地域に関する各種情報をまとめた週刊誌を、インターネット等のネットワーク５を介して、購読者が持つ購読者端末４に対して発行するシステムである。地域情報配信システム１は、サーバ２と、週刊誌を編集・発行する寄稿者が利用する寄稿者端末３と、サーバ２から配信される週刊誌を購読するために購読者が利用する購読者端末４とにより構成される。サーバ２、寄稿者端末３、及び購読者端末４は、インターネット等のネットワーク５を介して相互に接続される。図１に示したように、地域情報配信システムには複数の購読者端末４が含まれてもよい。
【００１２】
サーバ２は、本考案における情報配信装置に相当する。サーバ２は、例えば、コンピュータシステムであり、キーボード、マウス、タッチパネル等の入出力装置、ＣＰＵ（Central Processing Unit）等の演算部及びＲＡＭ（Random Access Memory）、ＲＯＭ（read only memory）等の記憶装置を備えた本体、ＣＲＴ（Cathode Ray Tube）やＬＣＤ（Liquid Crystal Display）等の表示装置等から構成される。
【００１３】
図２に示すように、サーバ２は、少なくとも、記憶部２０１、制御部２０２及び通信部２０３を備える。記憶部２０１は、配信する週刊誌の週号、記事、コンテンツアイテム、週号や記事に用いる画像等を記憶する。地域情報配信システム１が発行・配信する週刊誌において、週号は、紙媒体の雑誌や新聞における１回の発行単位（すなわち号）に相当する。週号は複数の記事により構成される。記事は、紙媒体の雑誌や新聞での記事と同様、ある情報について記述した文章を含むが、地域情報配信システム１における記事はこのような文章だけに留まらず、ある情報に関連した画像、ＷｅｂページのＵＲＬ（Uniform Resource Locator）、メールアドレス等の種々のコンテンツアイテム等をまとめたものである。コンテンツアイテムは、例えば記事の文章（テキストデータ）、画像、ＷｅｂＵＲＬ、メールアドレス、位置情報等であり、これらのコンテンツアイテムの１つまたは複数により１つの記事が構成される。記憶部２０１内において、週号、記事、及びコンテンツアイテムはそれぞれデータベースとして格納されており、このデータベースにおいて週号は週刊誌の種類に紐付けられ、記事は週号に紐付けられ、コンテンツアイテムは記事に紐づけられるという関係を有する。
【００１４】
また、記憶部２０１は、週刊誌の発行・編集権限を持つユーザが、編集用の画面（以下マイページという）にアクセスする際に認証を行うためのログインＩＤとパスワードを対応付けて記憶する。また、記憶部２０１は、週刊誌の配信先となる購読者端末４のリストを格納する。なお、サーバ２が複数種類の週刊誌を配信する場合には、週刊誌毎に上記の各種情報を記憶し管理する。
【００１５】
記憶部２０１は、寄稿者端末３からの指示・要求に応じて、配信する週刊誌の週号、記事、コンテンツアイテムを編集するためのプログラム、購読者端末４からの要求に応じて週刊誌の週号や記事を提供するためのプログラム、週刊誌の配信先となる購読者端末４のリストに含まれる端末の追加・削除・変更等をするための管理プログラム等の各種プログラムを格納し、地域情報配信システム１の機能を実現する。週号、記事、コンテンツアイテム等を編集するためのプログラムは、例えば編集用の画面を寄稿者端末３において動作するウェブブラウザに表示させ、寄稿者端末３のユーザＵ１に当該編集用画面を介して編集作業を実行させるとよい。
【００１６】
制御部２０２は、記憶部２０１に記憶されているプログラムに従い、購読者端末４からの要求に応じて、記憶部２０１に記憶されている週刊誌の週号や記事を配信したり、寄稿者端末３からの要求に応じて、記憶部２０１に週刊誌の新たな週号や記事を記録したり、記録済みの週号や記事を編集したりといった処理を行う。また、通信部２０３は、ネットワーク５を介して、寄稿者端末３や購読者端末４との通信を行い、集合や記事の情報、要求や指示の情報等を送受信する。
【００１７】
寄稿者端末３は、例えば、パーソナルコンピュータ、タブレット型端末、スマートフォン等の端末であり、図３に示すように、タッチパネル、キーボード、マウス等の入力部３０１、ＣＰＵ等の演算制御部３０２、ＲＡＭ、ＲＯＭ、ハードディスク等の記憶部３０３、ＬＣＤ等の表示部３０４、有線または無線によってインターネット等のネットワーク５を介した通信を行う通信部３０５等を備える。寄稿者端末３は、通信部３０５を利用してネットワーク５にて提供されているウェブページ等にアクセスするためのウェブブラウザのプログラムを記憶部３０３に格納し、当該ウェブブラウザを演算制御部３０２によって実行する。寄稿者端末３のユーザＵ１（すなわち週刊誌の編集者や寄稿者）は、ウェブブラウザを利用してサーバ２が提供する週刊誌の編集用の画面にアクセスし、新規の週号や記事を作成したり、既存の週号や記事を編集したりといった操作を行う。
【００１８】
図４に示すように、購読者端末４は、例えばタブレット型端末やスマートフォンであり、タッチパネル、操作ボタン等の入力部４０１、ＣＰＵ等の演算制御部４０２、ＲＡＭ、ＲＯＭ等の記憶部４０３、ＬＣＤ等の表示部４０４、有線または無線によってインターネット等のネットワーク５を介した通信を行う通信部４０５等を備える。購読者端末４は、サーバ２が配信する週刊誌を、ネットワーク５を介して受信するための購読プログラムを記憶部４０３に格納し、当該購読プログラムを演算制御部４０２によって実行する。購読者端末４のユーザＵ２（すなわち週刊誌の購読者）は、購読プログラムを利用してサーバ２が提供する週刊誌をダウンロードして閲覧・購読する。
［週刊誌の発行・編集］
【００１９】
続いて、寄稿者端末３からサーバ２にアクセスして行う週刊誌の発行・編集の操作について説明する。
【００２０】
週刊誌の発行・編集作業は、寄稿者端末３のブラウザでマイページを表示し、マイページ内のユーザインタフェースを操作して実施する。
［マイページへのログイン］
【００２１】
マイページを表示するためにユーザＵ１は、週刊誌毎に定められた所定のＵＲＬにアクセスする。すると、ブラウザには図５に示すログイン画面が表示される。ユーザＵ１は、ログイン画面のテキストボックスＴ１及びＴ２に予めサーバ２に登録しておいたログインＩＤ（例えば電子メールアドレス）とパスワードとを入力し、ログインボタンＢＬを押下する。入力されたログインＩＤとパスワードが、サーバ２の記憶部２０１に対応付けて記憶されているログインＩＤとパスワードの組と一致する場合、寄稿者端末３のブラウザにはマイページが表示される。一方、入力されたログインＩＤとパスワードが、サーバ２の記憶部２０１に対応付けて記憶されているログインＩＤとパスワードの組と一致しない場合には、サーバ２はマイページへのアクセスを拒否し、寄稿者端末３のブラウザにはエラーの表示（例えばログインＩＤとパスワードが合わない旨のメッセージ表示）が行われる。
［マイページの構成］
【００２２】
図６は、ログイン後に表示されるマイページの一例を示している。マイページは、サイドバーＲ１とメインエリアＲ２とにより構成される。画面左側のサイドバーＲ１には、ダッシュボード、週号管理画面、記事管理画面、メディア管理画面、寄稿者管理画面、閲覧数集計画面等の各種機能に応じた画面にアクセスするためのリンクボタンＢ１〜Ｂ７が配置されている。また、画面中央から右側にかけてのメインエリアＲ２には、サイドバーＲ１のリンクボタンを押すことにより各種機能の操作インタフェースが表示される。また、リンクボタンを押すと、サイドバーＲ１内において当該リンクボタンに対応した機能のサブメニューが展開表示され、サブメニューを押下することでサブメニューに応じた操作画面に直接アクセスすることもできる。
［ダッシュボード］
【００２３】
ログイン直後のマイページには、図６に示したダッシュボード画面が表示される。サイドバーＲ１のダッシュボードへのリンクボタンＢ１が押下されたときにも、ダッシュボード画面が表示される。ボタンダッシュボード画面には、発行・編集対象の週刊誌の概要が表示される。具体的には、例えば、ダッシュボードには、週刊誌のタイトル、サブタイトル、概要説明文、作成日、公開／非公開、対象エリア、作成済みの週号の数、記事の数、寄稿者の数、当月の閲覧数等が表示される。
［画像ファイルの管理］
【００２４】
サイドバーＲ１のメディア管理画面へのリンクボタンＢ４が押下されると、メインエリアＲ２には、図７に示したメディア管理画面が表示される。メディア管理画面は、週刊誌で使用する画像をサーバ２にアップロードしたり、サーバ２から削除したりするメディア管理機能を実現するための画面である。メディア管理画面の上部には、画像の種類を選択するドロップダウンリストＬ１、画像をアップロードするための画像追加ボタンＢ８、表示中の画像を再読込するためのリロードボタンＢ９等が表示される。画面の中央部には、サーバ２の記憶部２０１に格納されている画像のうち、ドロップダウンリストＬ１により選択されている種類の画像のサムネイル画像一覧が、当該画像のＵＲＬとともに表示される。なお、本例では、カバー写真、チラシ画像、アイコンの３種類の画像が週刊誌に利用できるものとする。ドロップダウンリストＬ１の選択を変更することにより、選択に応じた種類の画像の一覧が表示される。画像の種類はサイドバーＲ１のサブメニューとしても表示され、サブメニューが押下されたときには、ドロップダウンリストＬ１にて画像の種類を選択した時と同様の画面が表示される。
【００２５】
画像追加ボタンＢ８が押下されると、図８に示すように、寄稿者端末３に保存されている画像ファイルをサーバ２にアップロードするための画像アップローダウィンドウＷ１が表示される。画像アップローダウィンドウＷ１では、画像追加ボタンＢ８が押下されたときに選択されていた種類の画像を複数まとめて一度にアップロードすることができる。
【００２６】
画像アップローダウィンドウＷ１に配置された画像ファイル追加ボタンＢ１０を押下するとファイル選択ダイアログが表示され、当該ダイアログにてアップロード対象に追加する画像ファイルを選択する。寄稿者端末３に保存されている画像ファイルのアイコンを画像アップローダウィンドウＷ１に直接ドラッグ＆ドロップすることでもアップロードする画像ファイルを追加することもできる。
【００２７】
アップロードする画像の種類に応じて、画像のサイズ（縦・横のピクセル数）や画像ファイルの容量に制限が設けられ、画像アップローダウィンドウＷ１には制限の内容が表示される。また、追加しようとする画像ファイルをチェックし、制限に違反するファイルを追加しようとした場合にはエラーメッセージを表示してユーザＵ１に不適切なファイルであることを通知する。
【００２８】
画像アップローダウィンドウＷ１には、アップロード対象に追加された画像のサムネイル画像一覧が表示される。一覧表示された各画像のうち、未だサーバ２へのアップロードが完了していないものの下にはアップロードボタンＢ１１が表示される。アップロードボタンＢ１１を押下すると、サーバ２に画像ファイルが送信される。
【００２９】
アップロードすべき画像ファイルを全てアップロードした後、画像アップロードウィンドウＷ１の右下に配置された保存ボタンＢ１２を押下することで、アップロードした画像ファイルに対してサーバ２にて必要な画像加工処理が行われる。サーバ２での処理が済むと画像の追加が完了し、寄稿者端末３のブラウザの表示はメディア管理画面に戻る。なお、画像アップロードウィンドウＷ１のキャンセルボタンＢ１３が押下された場合には、当該画像アップロードウィンドウにて行った処理を全てキャンセルしてメディア管理画面に戻る。
【００３０】
画像をアップロードした後のメディア管理画面には、新たにアップロードした画像も一覧にサムネイル表示されることとなる。メディア管理画面＊＊にて管理される各種画像は、週号や記事にて使用される。
［週号の管理］
【００３１】
サイドバーＲ１の週号管理画面へのリンクボタンＢ２が押下されると、メインエリアＲ２には、週刊誌の週号を新規作成したり編集したりする週号管理機能を実現するための週号管理画面が表示される。
【００３２】
週号管理画面へのリンクボタンＢ２が押下された直後には、寄稿者端末３のブラウザには、図９に示した週号一覧画面が表示される。また、週号一覧画面は、サイドバーＲ１に展開された週号配下のサブメニューの「一覧」を押下した場合にも表示される。週号一覧画面には、週号を識別するためのＩＤ、カバー写真、週号のタイトル、サブタイトル、概要の説明文、公開期間、公開／非公開の設定状態、作成日、操作のためのリンク等が表形式で表示される。また、週号一覧画面の上部には週号作成ボタンＢ１４が配置される。
【００３３】
週号作成ボタンＢ１４が押下されると、図１０に示した週号編集画面が、各項目が空欄の状態で表示される。また、サイドバーＲ１における週号配下のサブメニューの「新規作成」を押下した場合にも週号編集画面が、各項目が空欄の状態で表示される。
【００３４】
週号編集画面には、週号情報としてタイトル、サブタイトル、及び概要の説明文を入力するためのテキストボックスＴ３〜Ｔ５が設けられる。週号情報は、毎号入力するようにしてもよいし、週刊誌の共通のタイトル、サブタイトル、概要を別途登録しておき、新規作成時には共通のタイトル等が自動的に入力されるようにし、必要に応じてタイトル等を修正・変更できるようにしてもよい。
【００３５】
また、週号編集画面には、公開情報として公開日を入力するための日付選択ボックスＤ１と、公開／非公開を設定するための一対のラジオボタンＲＢ１が表示される。公開日としては、次週から５週間のうち、週号が登録されていない日付が選択可能とされる。これにより週刊誌を重複なく発刊することができる。
【００３６】
また、週号編集画面には、週号のカバー写真のサムネイル画像及びカバー写真を選択するための画像選択ボタンＢ１５が表示される。画像選択ボタンＢ１５を押下すると、サーバ２にアップロード済みのカバー写真のサムネイル画像一覧が表示され、一覧の中から週号のカバー写真に用いるものを選択する。
【００３７】
必要なデータを入力後に週号編集画面の左下の設けられた保存ボタンＢ１６を押下すると、入力したデータがサーバ２に保存され、週号の新規作成が完了する。
【００３８】
週号編集画面は、作成済みの週号を編集する際にも用いられる。週号一覧画面において、編集をしたい週号について編集操作のリンクを押下すると、週号編集画面が、各項目に保存済みの情報が入力・表示された状態で表示される。修正・変更が必要な項目を修正した上で保存ボタンを押下することで、作成済みの週号を編集することができる。
【００３９】
また、週号一覧画面において、削除したい週号について削除操作のリンクを押下すると、当該週号のデータがサーバ２から削除される。
［記事の管理］
【００４０】
サイドバーＲ１の記事管理画面へのリンクボタンＢ３が押下されると、メインエリアＲ２には、週刊誌の記事を新規作成したり編集したりする記事管理機能を実現するための記事管理画面が表示される。
【００４１】
記事管理画面へのリンクボタンＢ３が押下された直後には、寄稿者端末３のブラウザには、図１１に示した記事一覧画面が表示される。また、記事一覧画面は、サイドバーＲ１に展開された記事配下のサブメニューの「一覧」を押下した場合にも表示される。記事一覧画面には、記事を識別するためのＩＤ、アイコン、記事の寄稿者、記事のタイトル、カテゴリ、掲載日、作成日、操作のためのリンク等が表形式で表示される。また、記事一覧画面の上部には記事作成ボタンＢ１７が配置される。
【００４２】
記事作成ボタンＢ１７が押下されると、記事編集画面が、各項目が空欄の状態で表示される。また、サイドバーＲ１における記事配下のサブメニューの「新規作成」を押下した場合にも記事編集画面が、各項目が空欄の状態で表示される。
【００４３】
記事編集画面には、記事情報として寄稿者、タイトル、カテゴリを入力するためのテキストボックスＴ６〜Ｔ８が設けられる。寄稿者として予めさだめられた初期値（例えば「事務局」）が入力された状態で記事編集画面が表示され、必要に応じて変更できるようにしてもよい。カテゴリは、テキストボックスではなく予め登録しておいたカテゴリリストから選択するようにしてもよい。
【００４４】
また、記事編集画面には、公開情報として記事を掲載したい週号を選択するための掲載日選択ボックスＤ２が表示される。一つの記事において複数の週号を選択し、複数の週号で記事が掲載されることが可能とされる。
【００４５】
また、記事編集画面には、記事のアイコンのサムネイル画像及びアイコンを選択するための画像選択ボタンＢ１８が表示される。画像選択ボタンＢ１８を押下すると、サーバ２にアップロード済みのアイコンのサムネイル画像一覧が表示され、一覧の中から当該記事のアイコンに用いるものを選択する。
【００４６】
記事編集画面における記事情報と公開情報の下には、コンテンツ編集エリアが設けられる。コンテンツ編集エリアでは、当該記事を構成するコンテンツアイテムの新規作成、編集、コンテンツアイテムの並び順の変更等を行うことができる。
【００４７】
コンテンツ編集エリアの最上部には新規作成するコンテンツアイテムの種類を選択するためのドロップダウンリストＬ２と、選択した種類のコンテンツアイテムを新規に追加するためのコンテンツ追加ボタンＢ１９とが配置される。ドロップダウンリストＬ２では、週刊誌の記事の構成要素として利用可能なコンテンツアイテム（画像付きテキスト、画像なしテキスト、チラシ画像、ＷｅｂＵＲＬ、メールアドレス、電話番号、位置情報等）が選択できる。ドロップダウンリストＬ２によりコンテンツアイテムの種類を選択し、コンテンツ追加ボタンＢ１９を押下すると、選択したコンテンツアイテムに対応した編集ダイアログが、コンテンツ編集エリアに追加される。
【００４８】
例えば、ＷｅｂＵＲＬを追加した場合には、図１３（ａ）に示したＷｅｂＵＲＬ編集ダイアログがコンテンツ編集エリアに追加される。また、画像付きテキストを追加した場合には、図１３（ｂ）に示した画像付きテキスト編集ダイアログがコンテンツ編集エリアに追加される。他のコンテンツアイテムについても、それぞれ必要な入力フォームや選択フォームが配置された編集ダイアログが準備され、コンテンツアイテムが新規に追加される都度、コンテンツ編集エリアに編集ダイアログが追加される。
【００４９】
一つの記事に対して複数のコンテンツアイテムを作成した場合、はじめはコンテンツアイテムが作成された順に並ぶが、コンテンツアイテムの編集ダイアログをドラッグ＆ドロップして順番を並び替えることができる。購読者端末４で週刊誌の記事を表示する際には、コンテンツ編集エリアで決めたコンテンツアイテムが並び順に従ってコンテンツアイテムが並べて表示される。
【００５０】
各コンテンツアイテムの編集ダイアログの右上に表示されたゴミ箱の絵のアイコンを押下すると、当該コンテンツアイテムが削除される。
【００５１】
記事編集画面の最下部には保存ボタンＢ２０が配置される。必要なデータを入力後に保存ボタンＢ２０を押下すると、入力したデータがサーバ２に保存され、記事の新規作成が完了する。すなわち、サーバ２の記憶部２０１において、週号に対応付けて記事が記憶され、記事に対応付けてコンテンツアイテムが記憶される。
【００５２】
記事編集画面は、作成済みの記事を編集する際にも用いられる。記事一覧画面において、編集をしたい記事について編集操作のリンクを押下すると、記事編集画面が、各項目に保存済みの情報が入力・表示された状態で表示される。修正・変更が必要な項目を修正した上で保存ボタンを押下することで、作成済みの記事を編集することができる。
【００５３】
また、記事一覧画面において、削除したい記事について削除操作のリンクを押下すると、当該記事のデータがサーバ２から削除される。
［マイページにおけるその他の機能］
【００５４】
マイページでは上記の機能の他、サイドバーＲ１の寄稿者管理画面へのリンクボタンＢ５を押下することによって表示される寄稿者管理画面にて、寄稿者の登録、削除等の管理をすることができる。また、閲覧数集計画面へのリンクボタンＢ６を押下することによって、閲覧者数を集計した統計情報を掲載した閲覧数集計画面を表示することができる。また、設定画面へのリンクボタンＢ７を押下することによって表示される設定画面にて、上記以外の各種設定を行うことができる。
［購読閲覧］
【００５５】
続いて、サーバ２が発行する週刊誌を、購読者端末４で購読・閲覧する際の操作について説明する。
【００５６】
週刊誌の購読・閲覧は、購読者端末４で専用のソフトウェア（以下アプリという）を利用して実施する。週刊誌の購読・閲覧を使用とする購読者端末４のユーザＵ２は、はじめにアプリを起動する。すると、購読者端末４の画面には、購読可能な週刊誌のリストが表示される。表示されたリストの中から購読・閲覧しようとする週刊誌にタッチして選択すると、図１４（ａ）に示したように、選択した週刊誌の今週号（現在時刻が配信期間に含まれるもの）のカバー写真が表示される。このときカバー写真に重ねて週号のタイトルを表示してもよい。また、今週号のカバー写真が表示された画面をスライド操作することにより、前週号及び次週号のカバー写真を表示するようにしてもよい。
【００５７】
表示された今週号のカバー写真にタッチすると、図１４（ｂ）に示したように、今週号のタイトル、サブタイトルとともに、今週号に紐付けられた記事のアイコンとタイトルが一覧表示される。記事の一覧に表示された記事のアイコンまたはタイトルにタッチすると、図１４（ｃ）に示したように、記事のコンテンツアイテムのタイトルとアイコンが一覧表示される。コンテンツアイテムが画像データを含む場合（例えば画像付きのテキストなど）には、コンテンツアイテムが含む画像を縮小したものがアイコンとして表示され、コンテンツアイテムが画像データを含まない場合には、記事に設定されたアイコンが表示されるようにするとよい。
【００５８】
コンテンツアイテムの一覧に表示されたタイトルやアイコンにタッチすると、コンテンツアイテムの詳細が表示される。例えば、コンテンツアイテムが画像付きテキストである場合には、図１４（ｄ）に示したように、画像とともにテキストを表示する。またコンテンツアイテムが画像なしのテキストの場合にはテキストのみを表示し、チラシ画像の場合にはチラシ画像を表示する。またコンテンツアイテムがＷｅｂＵＲＬの場合には、アプリがブラウザとして機能して当該ＵＲＬのサイトを表示する。また、コンテンツアイテムがメールアドレスの場合には、メール送信用のソフトウェアを起動して、当該メールアドレス宛てのメール編集を可能とする。また、コンテンツアイテムが電話番号の場合、購読者端末４が電話機能を有する場合には電話機能を利用して当該電話番号に発信し、購読者端末４が電話機能を有さない場合には電話番号を画面に表示する。また、コンテンツアイテムが位置情報の場合には、地図表示用のソフトウェアを起動して、当該位置情報に対応する位置の地図を表示する。
【００５９】
アプリの設定として、表示する記事のカテゴリを選択可能とし、購読する週刊誌における選択されたカテゴリの記事のみを表示するようにするとよい。
【００６０】
なお、本考案の一実施形態である地域情報配信システム１を例に本考案を説明したが、本考案は、上記の実施形態に限定されるものではなく、本考案の目的を達成できる範囲での変形、改良等は本考案に含まれるものである。
【産業上の利用可能性】
【００６１】
以上で説明したように、本考案の情報配信システムは、従来の雑誌や新聞のように情報をパッケージとして配信することができる。
【符号の説明】
【００６２】
１  情報配信システム
２  サーバ
３  寄稿者端末
４  購読者端末
５  ネットワーク
【図１】
0003195804.tif 000003
【図２】
0003195804.tif 000004
【図３】
0003195804.tif 000005
【図４】
0003195804.tif 000006
【図５】
0003195804.tif 000007
【図６】
0003195804.tif 000008
【図７】
0003195804.tif 000009
【図８】
0003195804.tif 000010
【図９】
0003195804.tif 000011
【図１０】
0003195804.tif 000012
【図１１】
0003195804.tif 000013
【図１２】
0003195804.tif 000014
【図１３】
0003195804.tif 000015
【図１４】
0003195804.tif 000016